【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
筐体（６０）と、前記筐体に設置されている複数のポート（１０，２０，３０）と、前記ポート毎に設けられており、自身に対応する前記ポートにそれぞれ電気的に接続されている複数の変換回路（１３，２３，３３）と、前記変換回路毎に設けられており、自身に対応する前記変換回路にそれぞれ電気的に接続されると共に所定のトランスコア（５０）にそれぞれ巻回されている複数のコイル（１７，２７，３７）と、を有し、
各前記変換回路により、前記ポート側で使用される直流又は交流と所定周波数の交流との間で変換を行い、前記コイルどうしの間で、磁気結合により前記所定周波数の交流電力を伝達し、その伝達に伴い変圧する電力変換装置（１００）において、
所定の基板孔（７３ａ）が形成されている所定基板（７３）と、前記所定基板とは別の基板であり、前記基板孔とは別の他基板孔（７１ａ）が形成されている他基板（７１）とを有し、
前記所定基板に、複数の前記変換回路のうちの一部である所定変換回路（３３）が搭載されると共に、前記所定基板における前記基板孔の周りに、前記所定変換回路に電気的に接続されている前記コイルである所定コイル（３７）が、前記所定基板と一緒に移動する状態で固定されており、
前記他基板に、前記所定変換回路とは別の前記変換回路である他変換回路（１３，２３）が搭載されると共に、前記他基板における前記他基板孔の周りに、前記他変換回路に電気的に接続されている前記コイルである他コイル（１７，２７）が、前記他基板と一緒に移動する状態で固定されており、
前記筐体には、所定の第１支持部（６１）が形成されると共に、前記第１支持部との間に段差をおいて第２支持部（６２）が形成されており、
前記他基板孔を前記トランスコアが挿通した状態で、前記他基板が前記第１支持部に固定されており、
前記基板孔を前記トランスコアが挿通した状態で、前記所定基板が前記第２支持部に固定されることにより、前記所定コイルが前記他コイルに対して位置決めされている、
電力変換装置。
【請求項２】
前記所定変換回路は、半導体スイッチ（３４）を有し、前記半導体スイッチが前記所定基板に搭載されており、
前記所定基板を前記基板孔の貫通方向にみた平面視で、前記半導体スイッチと重なる位置に、前記所定基板又はその搭載物に当接すると共に前記筐体に当接する放熱部材（８３）が設置されている、請求項１に記載の電力変換装置。
【請求項３】
筐体（６０）と、前記筐体に設置されている複数のポート（１０，２０，３０）と、前記ポート毎に設けられており、自身に対応する前記ポートにそれぞれ電気的に接続されている複数の変換回路（１３，２３，３３）と、前記変換回路毎に設けられており、自身に対応する前記変換回路にそれぞれ電気的に接続されると共に所定のトランスコア（５０）にそれぞれ巻回されている複数のコイル（１７，２７，３７）と、を有し、
各前記変換回路により、前記ポート側で使用される直流又は交流と所定周波数の交流との間で変換を行い、前記コイルどうしの間で、磁気結合により前記所定周波数の交流電力を伝達し、その伝達に伴い変圧する電力変換装置（１００）において、
所定の基板孔（７３ａ）が形成されている所定基板（７３）を有し、
前記所定基板に、複数の前記変換回路のうちの一部である所定変換回路（３３）が搭載されると共に、前記所定基板における前記基板孔の周りに、前記所定変換回路に電気的に接続されている前記コイルである所定コイル（３７）が、前記所定基板と一緒に移動する状態で固定されており、
前記基板孔を前記トランスコアが挿通した状態で、前記所定基板が前記筐体に固定されることにより、前記所定コイルがそれ以外の前記コイル（１７，２７）に対して位置決めされており、
前記所定変換回路は、半導体スイッチ（３４）を有し、前記半導体スイッチが前記所定基板に搭載されており、
前記所定基板を前記基板孔の貫通方向にみた平面視で、前記半導体スイッチと重なる位置に、前記所定基板又はその搭載物に当接すると共に前記筐体に当接する放熱部材（８３）が設置されている、電力変換装置。
【請求項４】
前記所定基板は、前記トランスコアと前記所定コイル以外の前記コイルとに対する自身の位置を、前記基板孔の貫通方向に直交する方向に調整可能に、前記筐体に取り付けられている、請求項１〜３のいずれか１項に記載の電力変換装置。
【請求項５】
筐体（６０）と、前記筐体に設置されている複数のポート（１０，２０，３０）と、前記ポート毎に設けられており、自身に対応する前記ポートにそれぞれ電気的に接続されている複数の変換回路（１３，２３，３３）と、前記変換回路毎に設けられており、自身に対応する前記変換回路にそれぞれ電気的に接続されると共に所定のトランスコア（５０）にそれぞれ巻回されている複数のコイル（１７，２７，３７）と、を有し、
各前記変換回路により、前記ポート側で使用される直流又は交流と所定周波数の交流との間で変換を行い、前記コイルどうしの間で、磁気結合により前記所定周波数の交流電力を伝達し、その伝達に伴い変圧する電力変換装置（１００）において、
所定の基板孔（７３ａ）が形成されている所定基板（７３）を有し、
前記所定基板に、複数の前記変換回路のうちの一部である所定変換回路（３３）が搭載されると共に、前記所定基板における前記基板孔の周りに、前記所定変換回路に電気的に接続されている前記コイルである所定コイル（３７）が、前記所定基板と一緒に移動する状態で固定されており、
前記基板孔を前記トランスコアが挿通した状態で、前記所定基板は、前記トランスコアと前記所定コイル以外の前記コイル（１７，２７）とに対する自身の位置を、前記基板孔の貫通方向に直交する方向に調整可能に、前記筐体に取り付けられており、
前記所定基板が前記筐体に固定されることにより、前記所定コイルがそれ以外の前記コイルに対して位置決めされている、電力変換装置。
【請求項６】
前記所定基板とは別の基板であり、前記基板孔とは別の他基板孔（７１ａ）が形成されている他基板（７１）を有し、
前記他基板に、前記所定変換回路とは別の前記変換回路である他変換回路（１３，２３）が搭載されると共に、前記他基板における前記他基板孔の周りに、前記他変換回路に電気的に接続されている前記コイルである他コイル（１７，２７）が、前記他基板と一緒に移動する状態で固定されており、
前記他基板孔を前記トランスコアが挿通した状態で、前記他基板が前記筐体に固定されている、
請求項２〜５のいずれか１項に記載の電力変換装置。
【請求項７】
前記所定基板と前記筐体との間に、スペーサ（７７）が介装されることにより、前記スペーサが介装されない場合に比べて、前記所定コイルとそれ以外の前記コイルとの間隔が大きく又は小さくなっている、請求項３又は５に記載の電力変換装置。
【請求項８】
前記所定基板と前記筐体との間又は前記他基板と前記筐体との間に、スペーサ（７７）が介装されることにより、前記スペーサが介装されない場合に比べて、前記所定コイルと前記他コイルとの間隔が大きく又は小さくなっている、請求項６に記載の電力変換装置。
【請求項９】
前記所定基板と前記筐体との間及び前記他基板と前記筐体との間のいずれにも、スペーサ（７７）を介装可能に構成されており、
前記所定基板と前記筐体との間にスペーサが介装されると、当該間にスペーサが介装されない場合に比べて前記所定コイルと前記他コイルとの間隔が大きくなり、前記他基板と前記筐体との間にスペーサが介装されると、当該間にスペーサが介装されない場合に比べて前記所定コイルと前記他コイルとの間隔が小さくなるように構成されている、請求項６又は８に記載の電力変換装置。